(57)【要約】【課題】ハロゲンランプなどの発光体を熱源とするドライヤーにおいて、熱により光学フィルターが破損することを防止する。【解決手段】本体ケース１の風導部７の内部に、乾燥風を吹出口９へ向かって送給する送風ファン３と、加熱源となる発光体４と、発光体４から放射された光を吹出口９の側へ向かって反射案内するリフレクタ１０を配置する。リフレクタ１０と吹出口９の間の光放射経路に、可視光の透過を阻むフィルター構造１１を配置する。フィルター構造１１を構成する光学フィルター６０の基板ガラス６２を、熱膨張係数が７×１０−６より小さな結晶化ガラスと石英ガラスのいずれか一方の低膨張性ガラスで形成する。【選択図】図１
2019136191.tif 000002
【特許請求の範囲】
【請求項１】
本体ケース（１）の風導部（７）の内部に、乾燥風を吹出口（９）へ向かって送給する送風ファン（３）と、加熱源となる発光体（４）と、発光体（４）から放射された光を吹出口（９）の側へ向かって反射案内するリフレクタ（１０）が配置されており、
リフレクタ（１０）と吹出口（９）の間の光放射経路には、発光体（４）から放射された光のうち可視光の透過を阻むフィルター構造（１１）が配置されており、
フィルター構造（１１）を構成する光学フィルター（６０）の基板ガラス（６２）が、低膨張性ガラスで形成されていることを特徴とするドライヤー。
【請求項２】
基板ガラス（６２）が、熱膨張係数が７×１０−６より小さな結晶化ガラスと石英ガラスのいずれか一方の低膨張性ガラスで形成されている請求項１に記載のドライヤー。
【請求項３】
光学フィルター（６０）が、低膨張性の石英ガラスまたは透明結晶化ガラスで形成した基板ガラス（６２）と、基板ガラス（６２）の片面に積層した多層膜（７１）で構成されている請求項１または２に記載のドライヤー。
【請求項４】
多層膜（７１）が基板ガラス（６２）の出射面側に位置する状態で光学フィルター（６０）が配置されている請求項３に記載のドライヤー。
【請求項５】
基板ガラス（６２）が、ガラス中にβ−石英固溶体結晶を析出させた黒色結晶化ガラスで形成されている請求項１または２に記載のドライヤー。
【請求項６】
リフレクタ（１０）と吹出口（９）の間の光放射経路に、複数個の光学フィルター（６０）が隙間（Ｅ）を隔てた状態で隣接配置されている請求項１から５のいずれかひとつに記載のドライヤー。
【請求項７】
フィルター構造（１１）が、光学フィルター（６０）と、光学フィルター（６０）と吹出口（９）の間の光放射経路に配置された透光体（６１）とで構成されており、
透光体（６１）は、光学フィルター（６０）を通過した赤外光の透過を許す透光材で形成されている請求項１から６のいずれかひとつに記載のドライヤー。
【発明の詳細な説明】
【技術分野】
【０００１】
本発明は、赤外線を利用して毛髪等の乾燥を行うドライヤーに関する。
【背景技術】
【０００２】
この種のドライヤーは例えば特許文献１のドライヤーに開示されている。特許文献１に記載のドライヤーは、円筒状の本体部（本体ケース）の内部に、ファン（送風ファン）と、熱線性光源と、熱線性光源の周囲を覆う反射体（リフレクタ）と、反射体の開口面を塞ぐフィルター（光学フィルター）などを備える。熱線性光源は、ハロゲンランプ、白熱ランプ、キセノンランプ、メタルハライドランプなどで構成される。反射体の開口面にフィルターを設けることにより、熱線性光源から放射された光（電磁波）のうち可視光の殆どを遮断して、髪を加熱する赤外光を透過させることができる。
【先行技術文献】
【特許文献】
【０００３】
【特許文献１】国際公開第２０１６／０７２０３１号
【発明の概要】
【発明が解決しようとする課題】
【０００４】
特許文献１のドライヤーによれば、従来のニクロム線ヒーターを熱源とするドライヤーに比べて消費電力を低減できる。また、熱線性光源から放射された光のうち可視光の殆どをフィルターで遮断して、髪乾燥時のユーザーの目に眩しい光が入るのを解消できる。しかし、ドライヤーを連続して使用するような場合には、フィルターに熱が蓄積し、急激に膨張して破損するおそれがあり、さらに、吹出口に臨むフィルターに指先が触れて火傷するおそれがあり、耐久性と安全性に問題がある。フィルターが過熱して破損した場合には、フィルターの破片が吹出口から飛散して負傷するおそれがある。
【０００５】
本発明の目的は、ドライヤーを連続して使用するような場合であっても、熱による光学フィルターの破損を確実に防止でき、従って、耐久性に優れたドライヤーを提供することにある。
本発明の目的は、誤って指先が吹出口の内部に入り込むことがあったとしても、指先が光学フィルターに触れて火傷を負うことのない安全性に優れたドライヤーを提供することにある。
【課題を解決するための手段】
【０００６】
本発明に係るドライヤーは、本体ケース１の風導部７の内部に、乾燥風を吹出口９へ向かって送給する送風ファン３と、加熱源となる発光体４と、発光体４から放射された光を吹出口９の側へ向かって反射案内するリフレクタ１０が配置されている。リフレクタ１０と吹出口９の間の光放射経路には、発光体４から放射された光のうち可視光の透過を阻むフィルター構造１１が配置されている。フィルター構造１１を構成する光学フィルター６０の基板ガラス６２は、低膨張性ガラスで形成されていることを特徴とする。
【０００７】
基板ガラス６２は、熱膨張係数が７×１０−６より小さな結晶化ガラスと石英ガラスのいずれか一方の低膨張性ガラスで形成されている。結晶化ガラスとしては、例えば黒色結晶化ガラスや、透明結晶化ガラスなどがあり、石英ガラスあるいは透明結晶化ガラスで形成した基板ガラス６２の場合には、その片面に多層膜７１を形成して光学フィルター６０としている。
【０００８】
光学フィルター６０は、低膨張性の石英ガラスまたは透明結晶化ガラスで形成した基板ガラス６２と、基板ガラス６２の片面に積層した多層膜７１で構成されている。
【０００９】
多層膜７１が基板ガラス６２の出射面側に位置する状態で光学フィルター６０が配置されている。
【００１０】
基板ガラス６２は、ガラス中にβ−石英固溶体結晶を析出させた黒色結晶化ガラスで形成されている。
【００１１】
リフレクタ１０と吹出口９の間の光放射経路に、複数個の光学フィルター６０が隙間Ｅを隔てた状態で隣接配置されている。
【００１２】
フィルター構造１１は、光学フィルター６０と、光学フィルター６０と吹出口９の間の光放射経路に配置された透光体６１とで構成されている。透光体６１は、光学フィルター６０を通過した赤外光の透過を許す透光材で形成されている。
【発明の効果】
【００１３】
本発明のドライヤーにおいては、リフレクタ１０と吹出口９の間の光放射経路に可視光の透過を阻むフィルター構造１１を配置し、フィルター構造１１を構成する光学フィルター６０の基板ガラス６２を低膨張性ガラスで形成するようにした。こうしたドライヤーによれば、基板ガラス６２が発光体４の放射光の熱を受けて熱膨張することを極力防ぐことができる。従って、ドライヤーを連続して使用するような場合であっても、熱による光学フィルター６０の破損を確実に防止して、耐久性に優れたドライヤーを提供できる。
【００１４】
熱膨張係数が７×１０−６より小さな低膨張性の結晶化ガラス、あるいは石英ガラスで基板ガラス６２が形成されていると、基板ガラス６２に熱が蓄積し、急激に膨張して破損するのをさらに確実に防止することができる。基板ガラス６２を形成する結晶化ガラスあるいは石英ガラスの熱膨張係数の上限値を７×１０−６とするのは、以下の検証結果による。検証では、熱膨張係数が７．６×１０−６の白板ガラスで形成した基板ガラスと、その片面にＴｉＯ２/ＳｉＯ２や、Ｎｂ２Ｏ５/ＳｉＯ２などの複数層を積層して形成した多層膜とで比較用の光学フィルターを形成し、当該比較用の光学フィルターと、基板ガラス６２を上記の結晶化ガラスあるいは石英ガラスで形成した光学フィルター６０の熱特性を同じ条件下で検証した。検証の結果、基板ガラス６２が、熱膨張係数が７×１０−６より小さな低膨張性の結晶化ガラス、あるいは石英ガラスで形成した光学フィルター６０の場合には外観上の変化は認められなかったが、比較用の光学フィルターは加熱により破損することが認められた。以上の検証結果より、基板ガラス６２を形成する結晶化ガラスあるいは石英ガラスの熱膨張係数の上限値を７×１０−６とした。
【００１５】
光学フィルター６０が、低膨張性の石英ガラスまたは透明結晶化ガラスで形成した基板ガラス６２と、基板ガラス６２の片面に積層した多層膜７１で構成されていると、光学フィルター６０の基板ガラス６２を黒色結晶化ガラスで形成する場合に比べて、赤外光の透過率が高くすることができる。従って、赤外光の透過率が高い分だけドライヤーから送給される熱量を増加して、髪の加熱や乾燥、あるいは人体の乾燥などを効果的に行うことができる。また、低膨張性の石英ガラスまたは透明結晶化ガラスで形成した基板ガラス６２と多層膜７１とで構成された光学フィルター６０は、多層膜７１の反射作用で可視光を遮断するので、基板ガラス６２における可視光などの光の吸収が殆んどなく、従って、光の吸収に伴う熱の蓄積がないので、熱による光学フィルター６０の破損をさらに確実に防止できる利点がある。多層膜７１で反射された可視光は、発光体４のバルブ３８のフィラメントの高温化を促すことにも役立っており、フィラメントの消費電力を低減し節電できる点で有利である。さらに、多層膜７１の積層構造や積層膜の物性を種々に変化させることにより、可視光のカット波長を変えて、可視光の一部を透過させることができるので、ドライヤーから送給される光の色を赤色や白色などにすることができる。
【００１６】
光学フィルター６０を、低膨張性の石英ガラスあるいは透明結晶化ガラスで形成した基板ガラス６２と、基板ガラス６２の片面に積層した多層膜７１で構成した場合には、多層膜７１が基板ガラス６２の出射面側に位置する状態で光学フィルター６０を配置する。これは、基板ガラス６２の入射面側が出射面側に比べて高温になるからであり、多層膜７１が基板ガラス６２の出射面側に位置する状態で光学フィルター６０を配置することにより、基板ガラス６２や多層膜７１が過熱状態に陥ることを防止できるからである。なお、多層膜７１が入射面側に位置する状態で光学フィルター６０が配置されている場合には、多層膜７１が加熱されて変質し、可視光の反射作用が損なわれるおそれがある。
【００１７】
基板ガラス６２をガラス中にβ−石英固溶体結晶を析出させた黒色結晶化ガラスで形成して光学フィルター６０を構成した場合には、可視光を固溶体結晶で吸収して可視光透過を防ぐことができる。また、固溶体結晶の熱吸収作用と熱輻射作用によって、光学フィルター６０の温度が高くなりやすい。そのため、送風ファン３から送給される乾燥風を光学フィルター６０の周囲に送給することにより、乾燥風の温度を高めて髪の加熱や乾燥、あるいは人体の乾燥などを効果的に行うことができる。
【００１８】
リフレクタ１０と吹出口９の間の光放射経路に、複数個の光学フィルター６０が隙間Ｅを隔てた状態で隣接配置されていると、リフレクタ１０の周囲に沿って送給される乾燥風の一部を隙間Ｅに導入して、光学フィルター６０を乾燥風で強制的に冷却できる。こうしたドライヤーによれば、ドライヤーが連続して使用されるような場合であっても、光学フィルター６０が過熱状態に陥って破損するのを確実に防止できる。また、乾燥風の一部を先の隙間Ｅ内に導入することにより、乾燥風と各光学フィルター６０の接触機会を増加して、乾燥風の温度を高めることができるので、髪の加熱や乾燥などを短時間で効果的に行うことができる。
【００１９】
光学フィルター６０と、光学フィルター６０と吹出口９の間の光放射経路に配置された透光体６１でフィルター構造１１を構成するようにした。また、透光体６１は赤外光の透過を許す透光材で形成するようにした。こうしたドライヤーによれば、吹出口９から風導部７内に進入した指や異物が光学フィルター６０に接触するのを透光体６１で阻止できるので、誤って指先が吹出口９の内部に入り込むことがあったとしても、指先が光学フィルター６０に触れて火傷を負うことのない安全性に優れたドライヤーを得ることができる。
【図面の簡単な説明】
【００２０】
【図１】本発明の実施例１に係るドライヤーの要部の縦断側面図である。
【図２】実施例１に係るドライヤーの斜視図である。
【図３】実施例１に係るドライヤーの縦断側面図である。
【図４】図１におけるＡ−Ａ線断面図である。
【図５】本発明の実施例２に係るドライヤーの要部の縦断側面図である。
【図６】本発明の実施例３に係るドライヤーの要部の縦断側面図である。
【図７】本発明の実施例４に係るドライヤーの要部の縦断側面図である。
【図８】本発明の実施例５に係るドライヤーの要部の縦断側面図である。
【発明を実施するための形態】
【００２１】
（実施例１）  図１ないし図４に、本発明に係るドライヤーをヘアードライヤーに適用した実施例１を示す。本実施例における前後、左右、上下とは、図２に示す交差矢印と、各矢印の近傍に表記した前後、左右、上下の表示に従う。図２および図３においてヘアードライヤーは、グリップを兼ねる前後に長い本体ケース１の内部に、ファンモータ２で回転駆動される軸流型の送風ファン３と、加熱源となるハロゲンランプ（発光体）４などを収容して構成される。本体ケース１は、樋状に形成される上下一対の半割体５・６を接合して形成される円筒状の風導部７を備えており、風導部７の後端に空気の吸込口８が形成され、前端に空気の吹出口９が形成されている。
【００２２】
送風ファン３は本体ケース１の後半部に配置されており、吸込口８から吸い込んだ空気を加圧して吹出口９へ向かって送給する。ハロゲンランプ４は本体ケース１の前半部に配置されており、その周囲にハロゲンランプ４から放射された光を吹出口９の側へ向かって反射案内するリフレクタ１０が固定されている。リフレクタ１０と吹出口９の間の光放射経路にはフィルター構造１１が配置されている。吹出口９は、乾燥風の吹出口と、ハロゲンランプ４から放射される赤外線（熱線）をユーザーの毛髪へ向けて照射する照射口を兼ねている。
【００２３】
本体ケース１の周面の大部分は、人体の接触を検知するタッチセンサ１２で覆われており、タッチセンサ１２の上部に形成した操作部に臨んで、電源スイッチ１４の操作ノブ１５が配置されている。操作ノブ１５を本体ケース１の表面に沿って前後にスライド操作すると、電源スイッチ１４をオン状態とオフ状態に切換えることができる。図３に示すように、電源スイッチ１４は、本体ケース１の上部に形成された収容凹部１７に収容されており、本体ケース１の下部に形成した収容凹部１８には、ファンモータ２やハロゲンランプ４の駆動状態を制御する制御基板１９が収容されている。
【００２４】
本体ケース１の吸込口８には吸込グリル２２が装着されており、吸込グリル２２の中央には、給電プラグ２４を着脱可能に接続するためのソケット２５が設けられている。本体ケース１の吹出口９には、アルミニウムなどの金属材からなる吹出グリル２３が装着されている。吹出グリル２３は、円筒状の外筒体２６および内筒体２７と、両筒体２６・２７を放射状に繋ぐ複数個の整流翼２８などを一体に備えている。
【００２５】
図３に示すように、ファンモータ２と送風ファン３はファンケース２９で支持されている。ファンケース２９は、送風ファン３の周囲を囲む円筒状の外筒体３０と、ファンモータ２の後端部が装着されるホルダー部３１と、ホルダー部３１の周囲を囲む円筒状の内筒体３２と、外筒体３０と内筒体３２を放射状に繋ぐ複数個の整流翼３３などを一体に備えている。外筒体３０の前端にはフランジ３４が外向きに張り出し形成されており、フランジ３４を半割体５・６の内面に形成した係合溝３５で係合保持することにより、ファンケース２９が本体ケース１に固定されている。
【００２６】
ハロゲンランプ４は、フィラメントと不活性ガス及びハロゲンガスなどを封入したバルブ３８とハウジング３９を前後に接続して構成される。ハロゲンランプ４を点灯すると、バルブ３８から可視光と赤外光が放射される。バルブ３８の周囲には集光用のリフレクタ１０が配置されている。リフレクタ１０は、アルミニウムなどの金属を素材として、吹出口９に向かって開口する丸底円筒状に形成されており、その内面に反射膜が形成されている。リフレクタ１０の後部中央には、バルブ３８をリフレクタ１０の内部に臨ませるための挿通孔４３が形成されている。リフレクタ１０の前縁（開口周縁）の外周面には、前縁を補強するリング状のフランジ４４が外向きに張り出し形成されている（図１参照）。フランジ４４の外周面の上下左右の４個所には係合凹部４５が形成されており、この係合凹部４５に支持枠４７を係合することにより、リフレクタ１０を安定した姿勢で支持できる。
【００２７】
支持枠４７は一対のマイカ板４８・４９を直交状に組んで構成されており（図１、図４参照）、リフレクタ１０とハロゲンランプ４のハウジング３９が支持枠４７で支持されている。支持枠４７は、送風ファン３が生成する風の整流体を兼ねており、ファンモータ２の前半部を四方（上下左右）から支持する。各マイカ板４８・４９の後端部は、ファンケース２９の前端部に設けられたスリット５０に差し込み係合されており（図３参照）、これにより本体ケース１に対する支持枠４７の回転が規制されている。本体ケース１の前端部の内面には、浅い装着溝５７が周回状に凹み形成されており、この装着溝５７に吹出グリル２３の外筒体２６が嵌まり込むことにより、吹出グリル２３の本体ケース１に対する前後方向（軸方向）と径方向のずれ動きが規制されている。
【００２８】
図１においてフィルター構造１１は、リフレクタ１０と吹出口９の間の光放射経路に配置した２個の光学フィルター６０と、前側の光学フィルター６０と吹出口９の間の光放射経路に配置した透光体６１で構成されている。光学フィルター６０は、低膨張性ガラスで形成される円板状の基板ガラス６２と、基板ガラス６２を支持するリング状のホルダー６３で構成されている。基板ガラス６２は、熱膨張係数が７×１０−６より小さな結晶化ガラスと石英ガラスのいずれかで形成することが好ましく、この実施例では基板ガラス６２を、ガラス中にβ−石英固溶体結晶を析出させた黒色結晶化ガラス（結晶化ガラス）で形成し、２個の光学フィルター６０が隙間Ｅを隔てた状態で隣接するようにした。黒色結晶化ガラスの熱膨張係数は７×１０−７であり、可視光領域である６００ｎｍ以下の波長の光（電磁波）の透過率は５０％以下である。隙間Ｅは２ｍｍ以上あることが好ましく、この実施例では隙間Ｅを１０ｍｍとした。
【００２９】
上記のように基板ガラス６２が、熱膨張係数が７×１０−６より小さな黒色結晶化ガラスで形成されていると、耐熱性と強度に優れ、耐熱衝撃性に優れた光学フィルター６０を得ることができる。黒色結晶化ガラスは、ガラス中に析出するβ−石英固溶体結晶によって可視光を吸収するので、その厚みが大きいほど基板ガラス６２に吸収される可視光の光量を大きくできる。この実施例では基板ガラス６２の厚みを３ｍｍとして、前後の光学フィルター６０が協同して可視光の殆どを吸収できるようにした。基板ガラス６２の厚みは、０．８〜６ｍｍの範囲で選定することが好ましい。基板ガラス６２の厚みが０．８ｍｍ未満であると、基板ガラス６２の強度が不足し耐久性に問題があるため、例えば落下衝撃を受けるような場合に基板ガラス６２が破損してしまう。また、基板ガラス６２の厚みが６ｍｍを越えると、光学フィルター６０の重量が大きくなり、ヘアードライヤーを使用するときに持ち重りして使い勝手が悪い。
【００３０】
後側の光学フィルター６０とリフレクタ１０の間、および前側の光学フィルター６０と透光体６１の間にも、上記の隙間Ｅと同様の隙間Ｅ１・Ｅ２が設けられている。隙間Ｅ１・Ｅ２は０．５ｍｍ以上あることが好ましく、この実施例では隙間Ｅ１を１ｍｍとし、隙間Ｅ２を１０ｍｍとした。ハロゲンランプ４からは４００〜３０００ｎｍの波長の電磁波（可視光と赤外光）が放射されるが、先に説明したように、ハロゲンランプ４の放射光のうち波長が６００ｎｍ以下の可視光は、２個の光学フィルター６０を通過する間に吸収される。このように、２個の光学フィルター６０で可視光を吸収すると、１個の光学フィルター６０のみで可視光を吸収する場合に比べて、フィルター構造１１における可視光の吸収度合いを格段に向上できる。従って、ヘアードライヤーの使用時に、可視光がドライヤーの吹出口９から照射されるのを確実に防止して、髪乾燥時等にユーザーの目に眩しい光が入るのを解消でき、眩しさを感じさせることもなく整髪作業を円滑に行うことができる。
【００３１】
上記のように、隙間Ｅを隔てた状態で光学フィルター６０を隣接配置し、さらに光学フィルター６０とリフレクタ１０の間、および光学フィルター６０と透光体６１の間に隙間Ｅ１・Ｅ２を設けることにより、リフレクタ１０の周囲に沿って送給される乾燥風の一部を先の隙間Ｅ・Ｅ１・Ｅ２内に導入して、基板ガラス６２や透光体６１が過熱状態に陥るのを確実に防止しながら、乾燥風と各光学フィルター６０の接触機会を増加して、乾燥風の温度を高めることができる。因みに、２個の光学フィルター６０が隙間のない状態で隣接配置されている場合には、基板ガラス６２の隣接面に熱が蓄積されて過熱状態に陥りやすくなり、充分な耐熱衝撃性を発揮することが困難となる。
【００３２】
透光体６１は、赤外光の透過を許す透明のガラス材（透光材）で形成した円板状の基板ガラス６４と、基板ガラス６４を支持するリング状のホルダー６５とで構成されている。光学フィルター６０のホルダー６３と、透光体６１のホルダー６５は、それぞれアルミニウムなどの金属材を素材にして、リフレクタ１０の周面直径より大きなリングとして形成されており、各ホルダー６３・６５の周面の４個所に係合凹部６６・６７が形成されている。また、マイカ板４８・４９には各ホルダー６３・６５と係合する保持凹部６８・６９が形成されており、先の係合凹部６６・６７が保持凹部６８・６９の凹み壁と係合することにより、光学フィルター６０および透光体６１が支持枠４７で全方位方向へ移動不能に固定保持されている。なお、透光体６１のホルダー６５の前面は、先の吹出グリル２３の内筒体２７で受止められている。このように、吹出グリル２３の後面に透光体６１を配置することにより、光学フィルター６０を通過した赤外光の透過を許しながら、吹出口９から風導部７内に進入した指や異物が光学フィルター６０に接触するのを透光体６１で阻止できる。従って、指先が誤って光学フィルター６０に接触するのを確実に防止して、ヘアードライヤーの安全性を向上できる。
【００３３】
制御基板１９に実装された制御部は、電源スイッチ１４とタッチセンサ１２の状態に基づいて、ハロゲンランプ４とファンモータ２へ供給される駆動電流を制御する。例えば、電源スイッチ１４がオン状態であり、しかもタッチセンサ１２に手指が触れた検知状態のとき、制御部はハロゲンランプ４とファンモータ２へ駆動電流を供給する。電源スイッチ１４がオフ状態に切り換わるか、タッチセンサ１２が人体を検知しない非検知状態になると、制御部はハロゲンランプ４とファンモータ２への駆動電流の供給を停止する。
【００３４】
しかし、タッチセンサ１２の非検知状態において電源スイッチ１４がオフ状態からオン状態に切り換わり、その後にタッチセンサ１２が検知状態になっても、制御部はハロゲンランプ４とファンモータ２に駆動電流を供給しない。これは、例えば電源スイッチ１４がオン状態になっていることに気付かないユーザーが、ヘアードライヤーを移動させるために本体ケース１を手に取った場合、タッチセンサ１２が検知状態となるが、こうした状況では、ユーザーの意図に反してハロゲンランプ４が点灯され、ファンモータ２が起動されるため、ユーザーを驚かせてしまうからである。
【００３５】
以上のように構成した実施例１のヘアードライヤーでは、フィルター構造１１の光学フィルター６０の基板ガラス６２を、耐熱性と強度に優れ、耐熱衝撃性に優れた低膨張性ガラスで形成するようにした。また、リフレクタ１０の周囲に沿って送給される乾燥風の一部を隙間Ｅや、フィルター構造１１の前後の隙間Ｅ１・Ｅ２に導入して、光学フィルター６０や透光体６１を乾燥風で強制的に冷却できるようにした。こうしたヘアードライヤーによれば、ヘアードライヤーが連続して使用されるような場合であっても、光学フィルター６０や透光体６１が過熱状態に陥って破損するのを確実に防止できる。また、誤って指先が吹出口９の内部に入り込むことがあったとしても、指先が高温の光学フィルター６０に触れるのを透光体６１で阻止できるので、ユーザーが火傷を負うことはなく、全体として耐久性と安全性に優れたヘアードライヤーを提供できる。さらに、乾燥風の一部を先の隙間Ｅ・Ｅ１・Ｅ２内に導入することにより、乾燥風と各光学フィルター６０の接触機会を増加して、乾燥風の温度を高めることができるので、髪の加熱や乾燥などを短時間で効果的に行うことができる。
【００３６】
（実施例２）  図５にフィルター構造１１の一部を変更した、本発明に係るドライヤーの実施例２を示す。実施例２においては、リフレクタ１０と吹出口９の間の光放射経路に配置した１個の光学フィルター６０と、光学フィルター６０と吹出口９の間の光放射経路に配置した透光体６１で、フィルター構造１１を構成する点が実施例１のフィルター構造１１と異なる。光学フィルター６０の構造は、実施例１の光学フィルター６０と基本的に同じであるが、基板ガラス６２の厚みを６ｍｍとする点が実施例１の光学フィルター６０と異なる。また、光学フィルター６０とリフレクタ１０の間、および光学フィルター６０と透光体６１の間に隙間Ｅ１・Ｅ２を設ける。他は実施例１と同じであるので、同じ部材に同じ符号を付してその説明を省略する。以下の実施例においても同じとする。
【００３７】
上記のように、フィルター構造１１を１個の光学フィルター６０と透光体６１で構成すると、構成部品点数を減少できる分だけフィルター構造１１を簡素化できるうえ、リフレクタ１０と吹出口９の間の間隔を小さくして、その分だけ本体ケース１の前後長が小さな、コンパクトなヘアードライヤーを提供できる。また、基板ガラス６２を厚みが６ｍｍの黒色結晶化ガラスで形成するので、１個の光学フィルター６０で可視光を吸収する構造であるにも拘らず、実施例１のフィルター構造１１と同様程度に可視光を吸収することができる。
【００３８】
（実施例３）  図６にフィルター構造１１の一部を変更した実施例３を示す。実施例３においては、基板ガラス６２を、熱膨張係数が７×１０−６より小さな低膨張性の石英ガラスで形成し、基板ガラス６２の片面に、ＴｉＯ２/ＳｉＯ２や、Ｎｂ２Ｏ５/ＳｉＯ２などを複数層積層して多層膜７１を形成した。多層膜７１は、赤外光は透過させるが可視光は反射する。基板ガラス６２の厚みは３ｍｍとし、多層膜７１が出射面側に位置する状態で配置するようにした。これは、基板ガラス６２の入射面側が出射面側に比べて高温になるからであり、多層膜７１が基板ガラス６２の出射面側に位置する状態で光学フィルター６０を配置することにより、基板ガラス６２や多層膜７１が過熱状態に陥ることを防止できることに拠る。上記のように、片面に多層膜７１が形成してある光学フィルター６０の場合には、多層膜７１が出射面側に位置する状態で配置するのが好ましい。多層膜７１が入射面側に位置する状態で光学フィルター６０を配置する場合には、多層膜７１が加熱されて変質し、可視光の反射作用が損なわれるおそれがあり得る。しかし、光学フィルター６０のハロゲンランプ４からの距離や、配置形態の違いなどに応じて、多層膜７１が入射面側に位置する状態で光学フィルター６０を配置してもよい。また、基板ガラス６２は、低膨張性の石英ガラスに換えて、熱膨張係数が７×１０−６より小さな低膨張性の透明結晶化ガラスで形成してあってもよく、その場合の基板ガラス６２は、６００ｎｍ以下の波長の光（電磁波）の透過率が５０％以上であればよい。
【００３９】
上記のように光学フィルター６０が、低膨張性の石英ガラスや透明結晶化ガラスで形成した基板ガラス６２と、基板ガラス６２の片面に積層した多層膜７１で構成されていると、光学フィルター６０の基板ガラス６２を黒色結晶化ガラスで形成する場合に比べて、赤外光の透過率を高くすることができる。従って、赤外光の透過率が高い分だけドライヤーから送給される熱量を増加して、髪の加熱や乾燥、あるいは人体の乾燥などを効果的に行うことができ、全体として耐熱性と強度に優れ、耐熱衝撃性に優れた光学フィルター６０を得ることができる。また、低膨張性の石英ガラスや透明結晶化ガラスで形成した基板ガラス６２と多層膜７１とで構成された光学フィルター６０は、多層膜７１の反射作用で可視光を遮断するので、可視光などの光の吸収が殆んどなく、従って、光の吸収に伴う熱の蓄積がないので、熱による光学フィルター６０の破損をさらに確実に防止できる。多層膜７１で反射された可視光は、バルブ３８のフィラメントの高温化を促すことにも役立っており、フィラメントの消費電力を低減し節電できる点で有利である。さらに、多層膜７１の積層構造や積層膜の物性を種々に変化させることにより、可視光のカット波長を変えて、可視光の一部を透過させることができるので、ドライヤーから送給される光の色を赤色や白色などにすることができる。
【００４０】
（実施例４）  図７にフィルター構造１１の一部を変更した実施例４を示す。実施例４においては、実施例２のフィルター構造１１と同様に、１個の光学フィルター６０と透光体６１でフィルター構造１１を構成するが、基板ガラス６２の厚みを３ｍｍとする点が実施例２の光学フィルター６０と異なる。
【００４１】
上記のように、フィルター構造１１を１個の光学フィルター６０と透光体６１で構成すると、構成部品点数を減少できる分だけフィルター構造１１を簡素化できるうえ、実施例２のフィルター構造１１に比べて、リフレクタ１０と吹出口９の間の間隔をさらに小さくして、その分だけ本体ケース１の前後長を小さくでき、ヘアードライヤーをさらにコンパクト化できる。
【００４２】
（実施例５）  図８にフィルター構造１１の一部を変更した実施例５を示す。実施例５においては、吹出グリル２３の後面に配置した１個の光学フィルター６０でフィルター構造１１を構成した。また、光学フィルター６０の基板ガラス６２は、実施例３の基板ガラス６２と同様に、熱膨張係数が７×１０−６より小さな低膨張性の石英ガラスで形成し、基板ガラス６２の片面に、ＴｉＯ２/ＳｉＯ２や、Ｎｂ２Ｏ５/ＳｉＯ２などを複数層積層して多層膜７１を形成した。こうしたフィルター構造１１は、構成部品点数を最小限化して、フィルター構造１１を簡素化しその製造コストをさらに削減できる。この実施例における基板ガラス６２は、実施例３の基板ガラス６２と同様に、熱膨張係数が７×１０−６より小さな低膨張性の透明結晶化ガラスで形成してあってもよい。
【００４３】
上記の各実施例では、発光体４はハロゲンランプ以外に、白熱ランプ、キセノンランプ、メタルハライドランプなどで構成することができる。タッチセンサ１２は省略することができ、その場合には電源スイッチ１４を切換えて、送風ファン３のみを駆動する冷風モードと、送風ファン３と発光体４を同時に駆動する低温弱風モードと、弱風モードより高温で風量が大きな高温強風モードに切換えることができる。本体ケース１は円筒状以外に、楕円筒状や多角形筒状などに形成することができ、必要に応じて本体ケース１の下面側に、折畳み可能なグリップが設けてあってもよい。本発明は、人用に限らず犬や猫など動物用のドライヤーにも適用することができる。
【符号の説明】
【００４４】
１  本体ケース
３  送風ファン
４  ハロゲンランプ（発光体）
７  風導部
８  吸込口
９  吹出口
１０  リフレクタ
１１  フィルター構造
３８  バルブ
６０  光学フィルター
６１  透光体
６２  基板ガラス
６３  ホルダー
７１  多層膜
【図１】
2019136191.tif 000003
【図２】
2019136191.tif 000004
【図３】
2019136191.tif 000005
【図４】
2019136191.tif 000006
【図５】
2019136191.tif 000007
【図６】
2019136191.tif 000008
【図７】
2019136191.tif 000009
【図８】
2019136191.tif 000010